【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
二種以上の映像成分を含む原映像に、前記各映像成分別に同じ予測方向を適用し、現行フレームの所定サイズの画素ブロックに空間的に近接した画素から予測映像を得ることを特徴とする空間上予測映像の生成方法。
【請求項２】
前記画素ブロックのサイズが４×４である場合、９個の予測方向のうち何れか一つを予測方向として決定することを特徴とする請求項１に記載の空間上予測映像の生成方法。
【請求項３】
二種以上の映像成分を含む原映像に、前記各映像成分別に、同じモーションベクトルと、同じ動き補間方法とを適用し、前記各映像成分の過去フレームと現行フレームとの間において所定サイズのブロック単位で動きを推定し、予測映像を得ることを特徴とする時間上予測映像の生成方法。
【請求項４】
二種以上の映像成分を含む原映像に、前記各映像成分別に同じ予測方向を適用し、現行フレームの所定サイズの画素ブロックに空間的に近接した画素から空間上予測映像を得るステップと、
二種以上の映像成分を含む原映像に、前記各映像成分別に、同じブロックサイズと、同じモーションベクトルと、同じ動き補間方法とを適用し、前記各映像成分の過去フレームと現行フレームとの間において所定サイズのブロック単位で動きを推定し、時間上予測映像を得るステップと、
前記空間上予測映像と前記時間上予測映像とを利用し、符号化モードを選択するステップと、
前記選択した符号化モードをカラー映像の各成分別に同一に適用し、予測映像を生成するステップとを含むことを特徴とする予測映像の生成方法。
【請求項５】
前記符号化モードを選択するステップは、
前記空間上予測映像と前記時間上予測映像とについてそれぞれビット量と画質の歪曲とを計算し、前記２つの値を加えた値を最も小さくする符号化モードを選択するステップを含むことを特徴とする請求項４に記載の予測映像の生成方法。
【請求項６】
二種以上の映像成分を含む原映像に、前記各映像成分別に同じ予測方向を適用し、現行フレームの所定サイズの画素ブロックに空間的に近接した画素から空間上予測映像を得る空間上予測映像生成部と、
二種以上の映像成分を含む原映像に、前記各映像成分別に、同じブロックサイズと、同じモーションベクトルと、同じ動き補間方法を適用とし、前記各映像成分の過去フレームと現行フレームとの間において所定サイズのブロック単位で動きを推定して時間上予測映像を得る時間上予測映像生成部と、
前記空間上予測映像と前記時間上予測映像とを利用し、符号化モードを選択する符号化モード選択部と、
前記符号化モード選択部で選択された符号化モードをカラー映像の各成分別に同一に適用し、予測映像を生成する単一モード予測映像生成部とを備えることを特徴とする予測映像の生成装置。
【請求項７】
前記符号化モード選択部は、
前記空間上予測映像についてそれぞれビット量と画質の歪曲とを計算する空間上ビット量／画質歪曲計算部と、
前記時間上予測映像についてそれぞれビット量と画質の歪曲とを計算する時間上ビット量／画質歪曲計算部と、
前記ビット量と画質歪曲とを加えた値を比較し、その値を小さくする符号化モードを選択する性能比較部とを備えることを特徴とする請求項６に記載の予測映像の生成装置。
【請求項８】
二種以上の映像成分を含む原映像で前記各映像成分別に、同じ符号化モードを使用して予測映像を作る予測映像生成部と、
前記原映像と前記予測映像との差に該当する剰余を生成する剰余生成部と、
前記剰余に相当するデータを符号化してビット列に生成する符号化部とを備えることを特徴とするカラー成分間の単一符号化モードを利用した映像符号化装置。
【請求項９】
前記予測映像生成部は、
前記原映像の各映像成分について、イントラ方式ならば、前記各映像成分の現行フレームの画素ブロックと空間的に近接した画素から同じ予測方向を適用し、予測映像を得る空間上予測映像生成部と、
前記原映像の各映像成分について、インター方式ならば、前記各映像成分の過去フレームと現行フレームとの間における所定サイズのブロック単位で、同じブロックサイズと、同じ動き推定と、動き補間方法とを使用し、予測映像を得る時間上予測映像生成部と、
前記空間上予測映像と前記時間上予測映像とを利用し、符号化モードを選択する符号化モード選択部と、
前記符号化モード選択部で選択された符号化モードをカラー映像の各成分別に同一に適用し、予測映像を生成する単一モード予測映像生成部とを備えることを特徴とする請求項８に記載のカラー成分間の単一符号化モードを利用した映像符号化装置。
【請求項１０】
前記符号化モード選択部は、
前記空間上予測映像についてそれぞれビット量と画質の歪曲とを計算する空間上ビット量／画質歪曲計算部と、
前記時間上予測映像についてそれぞれビット量と画質の歪曲とを計算する時間上ビット量／画質歪曲計算部と、
前記ビット量と画質歪曲とを加えた値を比較し、その値を小さくする符号化モードを選択する性能比較部とを備えることを特徴とする請求項９に記載のカラー成分間の単一符号化モードを利用した映像符号化装置。
【請求項１１】
前記剰余生成部で生成された剰余について、前記映像成分の剰余相互間の関係性を利用し、前記剰余を剰余変換する剰余変換部を更に備え、
前記符号化部は、前記各剰余変換された映像成分別剰余についてビット列に生成することを特徴とする請求項８に記載のカラー成分間の単一符号化モードを利用した映像符号化装置。
【請求項１２】
前記剰余変換部で変換された剰余について、所定サイズのブロック別に変換および量子化する変換／量子化部を更に備え、
前記符号化部は、前記各変換および量子化された係数についてビット列に生成することを特徴とする請求項１１に記載のカラー成分間の単一符号化モードを利用した映像符号化装置。
【請求項１３】
（ａ）二種以上の映像成分を含む原映像に、前記各映像成分別に、同じ符号化モードを使用して予測映像を生成するステップと、
（ｂ）前記原映像と前記予測映像との差に該当する剰余を生成するステップと、
（ｃ）前記剰余データを符号化してビット列に生成するステップとを含むことを特徴とするカラー成分間の単一符号化モードを利用した映像符号化方法。
【請求項１４】
前記（ａ）ステップは、
二種以上の映像成分を含む原映像に、前記各映像成分別に同じ予測方向を適用し、現行フレームの所定サイズの画素ブロックに空間的に近接した画素から空間上予測映像を得るステップと、
二種以上の映像成分を含む原映像に、前記各映像成分別に、同じブロックサイズと、同じモーションベクトルと、同じ動き補間方法とを適用し、前記各映像成分の過去フレームと現行フレームとの間における所定サイズのブロック単位で動きを推定し、時間上予測映像を得るステップと、
前記空間上予測映像と前記時間上予測映像とを利用し、符号化モードを選択するステップと、
前記選択された符号化モードをカラー映像の各成分別に同一に適用し、予測映像を生成するステップとを含むことを特徴とする請求項１３に記載のカラー成分間の単一符号化モードを利用した映像符号化方法。
【請求項１５】
前記符号化モードを選択するステップは、
前記空間上予測映像と前記時間上予測映像とについてそれぞれビット量と画質の歪曲とを計算し、前記２つの値を加えた値を最も小さくする符号化モードを選択するステップを含むことを特徴とする請求項１４に記載のカラー成分間の単一符号化モードを利用した映像符号化方法。
【請求項１６】
前記（ｂ）ステップで生成された剰余について、前記映像成分の剰余相互間の関係性を利用し、前記剰余を剰余変換するステップを含み、
前記（ｃ）ステップは、前記各剰余変換された映像成分別剰余についてビット列に生成するステップを含むことを特徴とする請求項１３に記載のカラー成分間の単一符号化モードを利用した映像符号化方法。
【請求項１７】
前記変換された剰余について所定サイズのブロック別に変換および量子化するステップを更に含み、
前記（ｃ）ステップは、前記各変換および量子化された係数についてビット列に生成するステップを更に含むことを特徴とする請求項１６に記載のカラー成分間の単一符号化モードを利用した映像符号化方法。
【請求項１８】
二種以上の映像成分からなる原映像の各成分に対してイントラ方式であれば、各映像成分の現在フレームの画素ブロックと空間的に近接した画素から同じ予測方向を適用して得られた予測映像を用いて映像を復元する空間上予測補償部と、
前記原映像の各成分に対してインター方式であれば、各映像成分の以前フレームと現在フレームとの間に所定サイズのブロック単位で同じ動き推定及び動き補間方法で得られた予測映像を用いて映像を復元する時間上予測補償部と、を備えることを特徴とするカラー成分間の単一符号化モードを利用した映像復号化装置。
【請求項１９】
前記原映像と予測映像との差を剰余とする時、ビット列から剰余情報を復号化して復元するデータ復元部をさらに備え、
前記空間上予測補償部は、前記復元された剰余データに前記予測映像を加えて映像を復元することを特徴とする請求項１８に記載のカラー成分間の単一符号化モードを利用した映像復号化装置。
【請求項２０】
前記原映像と予測映像との差を剰余とする時、ビット列から剰余情報を復号化して復元するデータ復元部をさらに備え、
前記時間上予測補償部は、前記復元された剰余データに前記予測映像を加えて映像を復元することを特徴とする請求項１８に記載のカラー成分間の単一符号化モードを利用した映像復号化装置。
【請求項２１】
前記データ復元部で復元されたデータが変換及び量子化された剰余データである場合、前記変換及び量子化されたデータに対して所定サイズのブロック単位で逆量子化及び逆変換を行う逆量子化/逆変換部をさらに備え、
前記予測補償部は、
前記各逆量子化/逆変換された映像成分別剰余に対して同じ符号化モードを使用して作った予測映像を加えて予測補償を行うことを特徴とする請求項１８に記載のカラー成分間の単一符号化モードを利用した映像復号化装置。
【請求項２２】
(a)二種類以上の映像成分からなる原映像の各成分に対して、イントラ方式であれば、各映像成分の現在フレームの画素ブロックと空間的に近接した画素から同じ予測方向を適用して予測映像を得て、前記予測映像を用いて映像を復元する段階と、
(b)前記原映像の各成分に対して、インター方式であれば、各映像成分の以前フレームと現在フレームとの間に所定サイズのブロック単位で同じ動き推定及び動き補間方法で予測映像を得て、前記予測映像を用いて映像を復元する段階と、を含むことを特徴とするカラー成分間の単一符号化モードを利用した映像復号化方法。
【請求項２３】
二種以上の映像成分からなる原映像で、前記原映像と予測映像との差を剰余とする時、ビット列から剰余情報を復号化して復元する段階をさらに含み、
前記(a)段階は、前記復元された剰余データに前記予測映像を加えて映像を復元する段階と、を含むことを特徴とする請求項２２に記載のカラー成分間の単一符号化モードを利用した映像復号化方法。
【請求項２４】
二種以上の映像成分からなる原映像で、前記原映像と予測映像との差を剰余とする時、ビット列から剰余情報を復号化して復元する段階をさらに含み、
前記(b)段階は、前記復元された剰余データに前記予測映像を加えて映像を復元することを特徴とする請求項２２に記載のカラー成分間の単一符号化モードを利用した映像復号化方法。
【請求項２５】
前記(a)段階で生成された剰余に対して前記所定サイズのブロック単位で逆量子化及び逆変換を行う段階をさらに含み、
前記(b)段階は、
前記各逆量子化/逆変換された映像成分別剰余に対して同じ符号化モードを使用して作った予測映像を加えて映像を復元することを特徴とする請求項２２に記載のカラー成分間の単一符号化モードを利用した映像復号化方法。
【請求項２６】
請求項１ないし５、１３ないし１７、２２ないし２５の何れか一項に記載の方法を、コンピュータに実行させるためのプログラムとして格納した、コンピュータで読み取り可能な記録媒体。